(57)【特許請求の範囲】
【請求項１】
皮等の柔素材を用いてＴ字型長方形状の一枚の柔素材と、舌状の柔素材とを基材とし、前記一枚の柔素材の長手方向における一方の端部を折り返し縫製した部分をベルト通しとして端部近傍に雄ホックを固着し、前記一枚の柔素材の長手方向における他方の端部のフラップ部を内側に湾曲させて結合・縫製し、前記フラップ部を結合・縫製してできた輪状の内部に前記ベルト通しを潜らせ、前記ベルト通しを潜らせてできた袋状部分の裏に前記舌状の柔素材を固定し、その端部近傍に雌ホックを固着して携帯機器収納部とし、該雌雄のホックを固定又は開放する事により携帯機器収納部を片手で開閉自在とする携帯機器収納ケース。
【請求項２】
ベルト通し部の内側にスリットを設け、カードポケットを形成することを特徴とする請求項１に記載の携帯機器収納ケース。
【発明の詳細な説明】
【技術分野】
【０００１】
本件発明は、携帯電話やデジタルカメラ等の携帯機器用の収納ケースに関するものである。
【背景技術】
【０００２】
近年、携帯電話の普及により携帯機器用の収納ケースは縦型、横型、が存在し、いずれも携帯機器収納部の開口部に対し舌状または帯状ベルトで蓋をする形状であり、一方固定部はベルトループやベルトに通して携帯するものが主流となっている。中には取り出しやすさを強調した考案がなされた収納ケースも存在する。
【０００３】
そこで先願等を見ると、取り出しを容易にするため収納内部に帯状ベルトを設け引き出すことにより、機器本体が上方へ持ち上がる構造が考案されている。（特許文献１）
また、部品点数を少なくしコスト面、量産面を考慮した収納ケースも考案されている。（特許文献２）その他、さらに取り出しを容易にするため、収納内部に帯状ベルトを設け引き出すものに、係止片を設けたものが考案されている。（特許文献３）
【０００４】
しかしながら、前記の各種提案は携帯機器等の収納部に帯状ベルトに係止する構造を持っていても、引き出し速度により、慣性の働きで携帯機器本体が飛び出す可能性は否めない。また、携帯機器は数多くの種類があり、厚さや横幅寸法等に個体差があり、通常の袋形状と帯状ベルトによる引き出し構造では収納の許容性と安全な取り出し機能が十分に備わっているとは言い切れない一面を有している。
【先行技術文献】
【特許文献】
【０００５】
【特許文献１】特開２００５−１４３９８８号公開公報
【特許文献２】登録実用新案第３１３７８６９号公開公報
【特許文献３】特開２００８−８６３８５号公開公報
【発明の概要】
【発明が解決しようとする課題】
【０００６】
前記の問題点に鑑み、本件発明者は、収納の許容性を保有し、且つ携帯機器本体を取り出す際に、片手に鞄、荷物等を持った状態でも一方の空いた片手で開閉でき、機器本体が飛び出し落下することのない安全な携帯機器収納ケースを提案するものである。
【課題を解決するための手段】
【０００７】
本発明は、皮等の柔素材を用いてＴ字型長方形状の一枚の柔素材と、舌状の柔素材とを基材とし、前記一枚の柔素材の長手方向における一方の端部を折り返し縫製した部分をベルト通しとして端部近傍に雄ホックを固着し、前記一枚の柔素材の長手方向における他方の端部のフラップ部を内側に湾曲させて結合・縫製し、前記フラップ部を結合・縫製してできた輪状の内部に前記ベルト通しを潜らせ、前記ベルト通しを潜らせてできた袋状部分の裏に前記舌状の柔素材を固定し、その端部近傍に雌ホックを固着して携帯機器収納部とし、該雌雄のホックを固定又は開放する事により携帯機器収納部を片手で開閉自在とする携帯機器収納ケースを提供するものである。
【発明の効果】
【０００８】
本件の発明において、携帯機器等の幅及び厚み寸法に対して収納内部に隙間を作ることなく機器を収納することができるうえ、開閉時に機器が収納部より脱落又は逸散することなく、安全且つ片手で容易に出し入れすることのできる携帯機器収納ケースを提案できる。
【図面の簡単な説明】
【０００９】
【図１】本件発明の携帯機器収納ケースを開いた状態の平面図（内面側）
【図２】本件発明の携帯機器収納ケースを開いた状態の平面図（外面側）
【図３】本件発明の携帯機器収納ケースの展開部品図
【図４】本件発明の携帯機器収納ケースを閉じた状態の側面図
【図５】本件発明の携帯機器収納ケースを開閉途中状態の側面図
【図６】本件発明の携帯機器収納ケースを開いた状態の側面図
【発明を実施するための形態】
【００１０】
請求項１について図１〜図６を用いて説明する。
図１〜図２は、本件発明の携帯機器収納ケース１を開いた状態の平面図であり、図３はその展開部品図である。
皮等の柔素材を用いてＴ字型長方形の柔素材と舌状の柔素材を基材とし、Ｔ字型長方形素材の長手方向端部を折り返し縫製した部分をベルト通し３とし、Ｔ字型長方形素材の他方の長手方向端部に設けたフラップ部７の両端部を内側に湾曲させてその先端部を結合・縫製し、できた輪状の内部にベルト通し３を潜らせてできた袋状部分を携帯機器Ａの収納部２とし、該結合・縫製した収納部２の裏の本体中央部分に舌状柔素材の先端部に雌ホック５を固着した開閉フラップ４を縫製接合し、ベルト通し３内側面に雄ホック６を固着したことを特徴とする携帯機器収納ケース１を構成することができる。
【００１１】
収納部２の形成前のフラップ部７の両端部の接合法は本件発明の縫製に特定するものではなく、接着剤を使用した固着接合、金具による接合等、本件発明においては全ての接合法を包摂するものとする。
【００１２】
本件発明で用いる基材の柔素材は天然の獣皮が最も好ましい素材であるが、織布のほか樹脂製でも製作することは可能であり、また、一枚の素材のほか同種又は異種の素材を重ね合わせて構成しても良く、本件発明では柔軟性を有しかつ可撓性素材あれば、如何なる素材も本件発明においては包摂するものとする。
【００１３】
図４は、本件発明の携帯機器収納ケース１を全閉した状態を表した側面図で、フラップ部７を結合・縫製し、輪状の内部にベルト通し３を潜らせてできた収納部２に携帯機器Ａ本体が収納されており、開閉フラップ４が雌ホック５と雄ホック６にて係留された状態を示している。輪状の内部に本体部を潜らせてできた収納部２の構造と携帯機器Ａ本体の自重により、幅及び厚み寸法の異なる携帯機器Ａ等においても、収納部２が伸縮し、携帯機器Ａ等の形状に追従すべく安定したホールド状態を保つことが可能となる。
【００１４】
図５は、本件発明の携帯機器収納ケース１を開いた経過状態を表した側面図であり、図１に示す携帯機器収納ケース１を閉じた状態を表した側面図では下方向に向いていた収納部２の開口部が、雌ホック５を引くことにより、ロック状態が解除され、携帯機器Ａの本体の自重により収納部２は円弧軌道を描きながら下方に向かって落下状に開き、収納部２の開口部が上方向に向くこととなる経過状態を表している。
本件発明で用いる雌雄のホック５及び６は自動車の幌の着脱に用いるワンタッチ式で開閉できるホックが最適であるが、本件発明の目的を満足する機能を有しているホック類を全て包摂するものとする。
【００１５】
図６は、本件発明の携帯機器収納ケース１を全開した状態を表した側面図であり、開いた直後の携帯機器Ａの本体の重力は下方に向かって掛かるため、携帯機器Ａの本体が上方向に飛び出すことはない。この状態において収納部２の開口部は垂直上方向に向いており、該開口部を覆う蓋状物を有していたいため片手に荷物又は鞄等を持っている状態においても他方の空いている手で携帯機器Ａの本体を容易に収納部２より出し入れすることが可能となる。
【００１６】
請求項２について図１及び図３を用いて説明する。
Ｔ字型長方形素材の長手方向端部を折り返し縫製した部分をベルト通し３の折り返し接合部の内側にスリット８を設け、カードポケット部を形成する。
なお、スリット８は直線であることに限定せず、本件発明では用途を満足する形状であればその全てを包摂するものとする。
また、スリット８の両端部には小孔を設けて、カード類の出し入れの際に、スリットの両端が破損しないようにする。なお、該小孔の形状は円形が好ましいが、鋭利な角度を除く形状であればどのような形状でも良い。
【符号の説明】
【００１７】
１  携帯機器収納ケース
２  収納部
３  ベルト通し
４  開閉フラップ
５  雌ホック
６  雄ホック
７  フラップ部
８  スリット
Ａ  携帯機器
【図１】
0005491846.tif 000002
【図２】
0005491846.tif 000003
【図３】
0005491846.tif 000004
【図４】
0005491846.tif 000005
【図５】
0005491846.tif 000006
【図６】
0005491846.tif 000007